(57)【特許請求の範囲】
【請求項１】
整髪すべき髪をスパイラル状に巻き付けることができ、棒状の胴体と、前記胴体の少なく共一方端部に接続され、前記胴体の外径位置の各々から斜め外方に伸びる一対の傾斜辺と、前記傾斜辺の各々の端部から、前記胴体の軸方向と平行に伸びる一対の平行辺とを有する平板状のフラット片とからなるロッドを保持するためのロッド保持具であって、
弾性変形可能な材料より構成され、その軸方向の長さが前記平行辺の長さに一致し、且つその内面の径が前記平行辺の各々間の距離より僅かに小さく形成されるとともに、その内面には、前記胴部の軸方向に平行な少なくとも１本のリブが内方に突出するように形成され、前記フラット片の幅方向をその内壁で押圧することができる円筒形状の胴部と、
弾性変形可能な材料より構成され、前記胴部の開方端に接続され、その開方部の内径が前記フラット片の幅方向長さより大きいラッパ状の拡大部とを備え、
前記フラット片が前記胴部に装着されたとき、前記ロッドの引き抜きに対して前記フラット片に対して抵抗を与える抵抗付与手段が前記拡大部に設けられる、ロッド保持具。
【請求項２】
前記拡大部の前記胴部側の端部には、その内径が前記胴部の内径より小さい張り出し部が周方向に連続的に形成され、前記張り出し部は前記フラット片の前記傾斜辺の各々の一部に係合する、請求項１記載のロッド保持具。
【請求項３】
前記胴部及び前記拡大部には、これらの軸方向に平行に伸びる、少なくとも１本のスリットが形成される、請求項１又は請求項２に記載のロッド保持具。
【請求項４】
請求項１から請求項３のいずれかに記載の前記ロッド保持具をその胴部の先端に接続し、前記ロッド保持具の前記胴部に内蔵されたモータによって、前記ロッド保持具をその軸方向周りに回転させる、パーマ整髪用巻回器。
【発明の詳細な説明】
【０００１】
【発明の属する技術分野】
この発明はロッド保持具に関し、特にスパイラル状に髪が巻き付けられるロッドを保持するためのロッド保持具及びそれを用いたパーマ整髪用巻回器に関するものである。
【０００２】
【従来の技術】
図１０は特願平１１−１８５４６９号で本願出願人が提案した従来のロッドを用いたパーマ整髪用巻回器の外略構造を示した図であり、図１１は図１０のＸＩ−ＸＩラインから見た図である。
【０００３】
これらの図を参照して、ロッド６６は丸棒形状の胴体２２と、胴体２２の両端に接続された平板形状の一対のフラット片６８ａ，フラット片６８ｂとから構成されている。尚、フラット片６８ａ，フラット片６８ｂの各々には切欠部６９及び切欠部７０が形成されている。
【０００４】
一方、パーマ整髪用巻回器１５は筒形状の胴部１６にモータ４０が内蔵されており、このモータ４０のモータ軸４１に回転体６１が脱着自在に係合している。回転体６１の上部には、クリップ６４が取り付けられている。そして胴部１６のスイッチ６３をオンすると、モータ４０が駆動し、モータ軸４１及び回転体６１を介してクリップ６４が矢印の方向に回転する。
【０００５】
使用の際には、クリップ６４の先端を開き、ロッド６６の一方のフラット片６８ｂをその位置に持ってきて、これをクリップ６４にて挟むようにして固定する。この状態でブロック毎にスライスされた髪２０の先端をロッド６６の胴体２２のクリップ６４側の部分にセットする。次にスイッチ６３をオンすると、クリップ６４の回転に伴ってロッド６６もその軸方向周りに回転する。これによって胴体２２のクリップ６４側にセットされた髪２０は、胴体２２上を図に示すようにスパイラル状に巻き付けられることになる。髪２０の胴体２２への巻付けが終了すると、クリップ６４の先端を開きロッド６６をクリップ６４から取外す。そしてこの状態で切欠部６９及び切欠部７０に例えば輪ゴム等を掛け渡して、胴体２２が巻戻らないように固定する。
【０００６】
次に、新たなロッド６６をクリップ６４にセットして、同様の操作を繰返す。この作業が髪全体に対して終了すると、以降のパーマネント処理が行なわれることになる。
【０００７】
このようにしてパーマ整髪用巻回器１５を用いることによって、ロッド６６への髪２０の巻付けが効率的に行なわれていた。
【０００８】
【発明が解決しようとする課題】
上記のようなパーマ整髪用巻回器においては、ロッド保持具たるクリップ６４によってロッド６６の着脱は容易であるものの、クリップ６４でフラット片６８ｂを挟むだけであるので保持状態が不安定となりやすい。すなわち、図１０においては紙面を貫通する方向に対してロッド６６に力が加わると、クリップ６４の保時点を中心にして図１１においては左右にロッド６６の上部が容易に移動してしまう。
【０００９】
又、ロッド６６をクリップ６４に取り付ける際には、クリップ６４の先を開いてそこにロッド６６のフラット片６８ｂを正確に位置させる必要があり、ロッド６６の迅速なパーマ整髪用巻回器１５への取付ができない。
【００１０】
この発明は上記のような課題を解決するためになされたもので、ロッドを迅速に且つ安定した状態で取付け及び取外しができるロッド保持具及びそれを用いたパーマ整髪用巻回器を提供することを目的とする。
【００１１】
【課題を解決するための手段】
上記の目的を達成するために、請求項１記載の発明は、整髪すべき髪をスパイラル状に巻き付けることができ、棒状の胴体と、胴体の少なく共一方端部に接続され、胴体の外径位置の各々から斜め外方に伸びる一対の傾斜辺と、傾斜辺の各々の端部から、胴体の軸方向と平行に伸びる一対の平行辺とを有する平板状のフラット片とからなるロッドを保持するためのロッド保持具であって、弾性変形可能な材料より構成され、その軸方向の長さが平行辺の長さに一致し、且つその内面の径が平行辺の各々間の距離より僅かに小さく形成されるとともに、その内面には、胴部の軸方向に平行な少なくとも１本のリブが内方に突出するように形成され、フラット片の幅方向をその内壁で押圧することができる円筒形状の胴部と、弾性変形可能な材料より構成され、胴部の開方端に接続され、その開方部の内径がフラット片の幅方向長さより大きいラッパ状の拡大部とを備え、フラット片が胴部に装着されたとき、ロッドの引き抜きに対してフラット片に対して抵抗を与える抵抗付与手段が拡大部に設けられるものである。
【００１２】
このように構成すると、ロッド保持具に装着されたロッドはロッド保持具とともに回転し、且つロッド保持具に対して抜け止め状態となる。また、フラット片が胴部に対して回転するとその平行辺の部分がリブに当接する。
【００１５】
請求項２記載の発明は、請求項１記載の発明の構成において、拡大部の胴部側の端部には、その内径が胴部の内径より小さい張り出し部が周方向に連続的に形成され、張り出し部はフラット片の傾斜辺の各々の一部に係合するものである。
【００１６】
このように構成すると、フラット片の平行辺が胴部に装着すると張り出し部がフラット片の傾斜辺の一部に係合するものである。
【００１７】
請求項３記載の発明は、請求項１又は請求項２に記載の発明の構成において、胴部及び拡大部には、これらの軸方向に平行に伸びる少なくとも１本のスリットが形成されるものである。
【００１８】
このように構成すると、胴部及び拡大部の周方向への変形が容易となる。
【００１９】
請求項４記載の発明は、パーマ整髪用巻回器であって、請求項１から請求項３のいずれかに記載のロッド保持具をその胴部の先端に接続し、ロッド保持具の胴部に内蔵されたモータによってロッド保持具をその軸方向周りに回転させるものである。
【００２０】
このように構成すると、ロッド保持具に容易に装着されたロッドは安定した状態でその軸周りに回転する。
【００２１】
【発明の効果】
以上説明したように、請求項１記載の発明は、装着されたロッドはロッド保持具とともに回転し、且つロッド保持具に対して抜け止め状態となるので、ロッドがぐらつくことなく安定した装着状態が確保できるため使用勝手が向上する。また、フラット片が回転するとその平行辺の部分がリブに当接するので、それ以上のフラット辺の胴部に対する相対的な回転が確実に阻止される。
【００２３】
請求項２記載の発明は、請求項１記載の発明の効果に加えて、フラット辺の平行辺が胴部に装着されると張り出し部がフラット辺の傾斜辺の一部に係合するので、ロッドのロッド保持具からの不用意な抜けが確実に防止される。
【００２４】
請求項３記載の発明は、請求項１又は請求項２に記載の発明の効果に加えて、胴部及び拡大部の変形が容易となるので、より安定したロッドの装着及び脱着が可能となる。
【００２５】
請求項４記載の発明は、請求項１から請求項３に記載のロッド保持具の効果に加えて、迅速なロッドの装着、回転及び脱着が自在となり、効率的なパーマ整髪が可能となる。
【００２６】
【発明の実施の形態】
図１はこの発明の第１の実施の形態によるロッド保持具の使用状態を説明するための概略斜視図である。
【００２７】
図を参照して、パーマ整髪用巻回器１５の胴部１６の先端にロッド保持具１７が脱着自在に取り付けられている。そしてロッド保持具１７の開方端部の内方に対してロッド１９が脱着自在に取り付けられている。使用に際しては、パーマ整髪用巻回器１５の胴部１６に位置する図示しないスイッチをオンすることによってロッド保持具１７が矢印の方向に回転し、この回転に伴いロッド保持具１７に取り付けられたロッド１９もその軸方向周りに回転する。これによって、ブロック毎にスライスされ、回転前にロッド１９のロッド保持具１７側の位置にセットされた髪２０は、この回転に伴いロッド１９上を図に示すようにスパイラル状に巻き付けられることになる。
【００２８】
図２は図１で示したロッド１９の概略形状を示した図である。
【００２９】
図を参照して、ロッド１９は棒状の胴体２２を中心として構成され、その一方端部には平板状のフラット片２４が接続されている。フラット片２４は胴体２２に接続する部分から斜め外方に伸びる一対の傾斜辺２５ａ，傾斜辺２５ｂと、傾斜辺２５ａ，傾斜辺２５ｂの各々の端部から胴体２２の軸方向に対して平行に伸びる一対の平行辺２６ａ，平行辺２６ｂとから構成され、その底辺部には、切欠部２７が形成されている。
【００３０】
一方、胴体２２の他方端部には、胴体２２の軸方向と平行に伸びる切欠部３３が形成されており、切欠部３３の一方側は長片３１を構成し、切欠部３３の他方側は長片３１より短く形成された短片３２を構成している。そして、長片３１及び短片３２の外面は胴体２２の対応する外面に整列したものとなっている。これによって図１で示す状態からロッド１９をロッド保持具１７から取外し、髪２０に対して所定のパーマネント処理を行った後、その状態からロッド１９を髪２０から引き抜くことが容易となり使い勝手が良い。
【００３１】
図１１で示した従来のロッド６６であれば、胴体２２の両端に胴体２２の外形より幅広のフラット片６８ａ，フラット片６８ｂが形成されているため、図１１で示した状態からロッド６６を髪２０から引き抜くことが容易ではない。このため従来では髪２０のパーマネント処理が終了したのち、胴体２２を反対回転させてロッド６６を髪２０から取外す必要があった。これに比べてこの実施の形態によるロッド１９の形状であれば、より迅速にパーマネント処理を行うことが可能となる。
【００３２】
図３は図１で示したロッド保持具の正面図であり、図４はその背面図であり、図５は図３で示したＶ−Ｖラインから見た図であり、図６は図５で示したＶＩ−ＶＩラインの断面図であり、図７は図３で示したＶＩＩ−ＶＩＩラインの断面図である。
【００３３】
これらの図を参照して、ロッド保持具１７は、円筒形状を有しその一方端がラッパ状に広がる形状の保持体３５と、保持体３５の他方端に接続され、円錐台形状と円柱形状とが一体となった形状のベース体３６と、ベース体３６の他方端に接続された円筒形状の接続体３７とから構成されている。これらの断面形状は図６に示されているように、保持体３５は、円筒形状の胴部４７と、胴部４７の一方端部に連続し、且つ開方端に向かってラッパ状に広がる拡大部４８と、胴部４７の他方端に連続し、その内径が胴部４７の内径よりやや大きな円筒形状の接続部４９とから構成されている。
【００３４】
胴部４７の内壁には、図７に示されているように、その周方向に等分な位置において胴部４７の軸方向に平行な３本のリブ５１ａ〜リブ５１ｃが形成されている。拡大部４８の胴部４７に対する接続部には、その周方向に張り出し部５２が連続的に形成されている。そして、張り出し部５２の内径は胴部４７の内径より大きく設定されている。尚、リブ５１ａ〜リブ５１ｃの突出し高さは、この実施の形態においては張り出し部５２の内面側に整列するように設定されている。
【００３５】
拡大部４８の開方端部の内径は、胴部４７の内径より充分大きく設定されている。又、胴部４７及び拡大部４８にはそれらの軸方向に平行に且つその周方向に等分な位置においてこれらを貫通するような３本のスリット４３ａ〜スリット４３ｃが形成されている。尚、保持体３５は合成樹脂の一体成形によって形成されている。
【００３６】
ベース体３６及び接続体３７は図６に示されているように、合成樹脂の一体成形により形成されており、ベース体３６の先端部は保持体３５の接続部４９内に嵌合するような円柱形状を有している。一方、接続体３７の内方には、図３で示すような胴部１６内に内蔵されているモータ４０のモータ軸４１が挿入されてこれと係合するような形状の係合穴４５が形成されている。
【００３７】
このようにロッド保持具１７は形成されており、使用の際には、図３のごとく胴部１６のモータ軸４１に接続体３７の係合穴４５を係合させることによって胴部１６に装着される。この状態で図示しない胴部１６のスイッチをオンすることによってモータ４０が駆動され、モータ軸４１の回転に伴って接続体３７及びベース体３６を介して保持体３５が所定方向に回転する。
【００３８】
図８はこの発明の第１の実施の形態によるロッド保持具に対してロッドを装着する際の状態変化を示した図であり、図９は図８のＩＸ−ＩＸラインの断面図である。
【００３９】
これらの図を参照して、使用に際しては図８の（１）に示すように、ロッド１９のフラット片２４側を、ロッド保持具１７の保持体３５の拡大部４８の内方に向けて差し入れる。拡大部４８の開方端の内径はロッド１９のフラット片２４の幅、すなわち平行辺２６ａと平行辺２６ｂとの距離より充分大きく設定されているため、容易に拡大部４８内部に進行させることができる。
【００４０】
胴部４７の内径はフラット片２４の幅より僅かに小さく設定され、張り出し部５２の内径は胴部４７の内径より小さく設定されている。従って、ロッド１９のフラット片２４の先端は張り出し部５２の位置に到達するまでの拡大部４８の内面に当接することになる。この状態でロッド１９を矢印で示す方向に更に押し進めると、拡大部４８は矢印で示す方向、すなわち外方に向かって広がるように変形する。
【００４１】
これはロッド保持具１７は上述のように合成樹脂の一体成形より形成されているため、所定の変位内であれば弾性変形が可能であり、又その弾性内での変位が胴部４７及び拡大部４８に設けられている３本のスリット４３ａ〜スリット４３ｃによって容易となっているためである。
【００４２】
このように胴部４７及び拡大部４８はロッド１９の進行につれて外方に変形すると共に、ロッド１９のフラット片２４は拡大部４８の張り出し部５２の部分を通過し、図８の（２）に示されている位置に向けて進行する。そして、ロッド１９の進行によってフラット片２４の先端がベース体３６の端面５４に当接した位置でロッド１９の進行は停止する。
【００４３】
ここで、胴部４７の軸方向長さは、ロッド１９のフラット片２４の平行辺２６ａ，平行辺２６ｂの長さに一致するように設定されている。そのため、この状態においてフラット片２４の平行辺２６ａ，平行辺２６ｂは胴部４７の変形からの復帰力によって押圧される。そしてフラット片２４の傾斜辺２５ａ，傾斜辺２５ｂはその下方位置において拡大部４８の張り出し部５２に係合することになる。
【００４４】
このようにして、図８の（２）に示すように胴部４７及び拡大部４８は変形からの矢印の方向への復帰力によって、フラット片２４の平行辺２６ａ，平行辺２６ｂの部分と傾斜辺２５ａ，傾斜辺２５ｂの下方部分とを包囲する状態でこれを押圧することになる。従って、ロッド１９のロッド保持具１７に対する引き抜きに対して、拡大部４８の張り出し部５２はこれに抵抗を与える抵抗付与手段として機能し、結果としてロッド１９はロッド保持具１７に対して抜け止め状態に装着されることになる。
【００４５】
尚、ロッド１９をロッド保持具１７から引き抜こうとしてより大きな力を加えると、フラット片２４の傾斜辺２５ａ，傾斜辺２５ｂの下方部分が拡大部４８の張り出し部５２の部分を矢印とは反対方向に広げるように力を加えることになる。これによって胴部４７及び拡大部４８は変形し、ロッド１９をロッド保持具１７から引き抜くことが可能となる。
【００４６】
図９を参照して、ロッド１９をロッド保持具１７に装着した状態にあっては、上述のようにフラット片２４の平行辺２６ａ，平行辺２６ｂは胴部４７の内壁によって押圧された状態となっている。そして胴部４７の内壁には周方向に対して等分な位置に３本のリブ５１ａ〜リブ５１ｃが形成されている。このため、ロッド１９が胴部４７に対して相対的にその軸を中心とした周りに回転しようとすると、フラット片２４の平行辺２６ａ，平行辺２６ｂの部分がリブ５１ａ〜リブ５１ｃのいずれかに当接し、それ以上の回転が阻止されることになる。すなわちリブ５１ａ〜リブ５１ｃはフラット片２４の胴部４７に対する相対的な回転運動を阻止する回転阻止手段として機能する。
【００４７】
使用に際しては、髪２０が巻回されていないロッド１９のフラット片２４をロッド保持具１７の拡大部４８に対して差込む。この差込む動作だけでロッド１９はロッド保持具１７に確実に保持されることになる。従って従来のクリップ等を用いてロッド１９のフラット片２４を保持するものに比べて迅速な装着が可能となる。そして、ロッド１９をロッド保持具１７に装着した状態にあっては、図８の（２）に示されているようにフラット片２４の平行辺２６ａ，平行辺２６ｂはすべて胴部４７の内面によって押圧されている。従って従来のようなクリップによる保持で生じたロッド１９のロッド保持具１７に対するぐらつき等が完全に防止され、安定した状態で保持される。
【００４８】
そして、この装着状態において、ロッド１９のロッド保持具１７側にブロック毎にスライスされた数十本の髪２０をセットする。次に、胴部１６内に内蔵されているモータの駆動によってベース体３６を回転させると胴部４７の内面に形成されているリブ５１ａ〜リブ５１ｃの効果によってロッド１９はロッド保持具１７の回転と一体となって確実に回転されることになる。これによって、セットされた髪２０はロッド１９の胴体２２の上にスパイラル状に巻き付けられる。巻き付けが終了すると、ロッド１９を髪が巻き付けられた状態でロッド保持具から引き抜き、髪２０の巻き戻りを防止すべく切欠部２７と切欠部３３との間に輪ゴム等を掛け渡す。そして、次のロッドを同様にロッド保持具にとり付け、同様の処理を行う。このようにロッド１９のロッド保持具１７側に髪２０をセットし、これをロッド１９上にスパイラル状に巻き付ける作業がより迅速に且つ安定した状態で行うことが可能となり使い勝手が向上する。
【００４９】
尚、上記の実施の形態では、保持具の胴部に形成されているリブを３本としているが、リブは少なくとも１本形成されていれば、回転阻止手段としての機能を発揮する。
【００５０】
又、上記の実施の形態では、保持具の胴部及び拡大部に３本のスリットが形成されているが、スリットは少なくとも１本形成されていれば、これらの部分の変形が容易となる。
【００５１】
更に、上記の実施の形態では、保持具に保持されるロッドは図２に示した形状のものとしているが、ロッドはその胴体の少なくとも一方端部にフラット片が形成されているものであれば、同様の保持効果を奏することは言うまでもない。したがって、従来例で示した胴体の両端部にフラット片が接続された従来のロッドにも同様に適用できる。
【図面の簡単な説明】
【図１】この発明の第１の実施の形態によるロッド保持具の使用状態を示した概略斜視図である。
【図２】図１で示したロッド１９の外観形状を示した図である。
【図３】図１で示したロッド保持具の概略形状を示した正面図である。
【図４】図３で示したロッド保持具の背面図である。
【図５】図３で示したＶ−Ｖラインから見た図である。
【図６】図５で示したＶＩ−ＶＩラインの断面図である。
【図７】図３で示したＶＩＩ−ＶＩＩラインの断面図である。
【図８】図３で示したロッド保持具の使用状態の変化を示した概略断面図である。
【図９】図８のＩＸ−ＩＸラインの断面図である。
【図１０】従来のパーマ整髪用巻回器の使用状態を示した概略図である。
【図１１】図１０で示したＸＩ−ＸＩラインから見た図である。
【符号の説明】
１５…パーマ整髪用巻回器
１７…ロッド保持具
１９…ロッド
２２…胴体
２４…フラット片
２５…傾斜辺
２６…平行辺
３５…保持体
４３…スリット
４７…胴部
４８…拡大部
５１…リブ
５２…張り出し部
尚、各図中同一符号は同一又は相当部分を示す。
【図１】
0003616350.tif 000002
【図２】
0003616350.tif 000003
【図３】
0003616350.tif 000004
【図４】
0003616350.tif 000005
【図５】
0003616350.tif 000006
【図６】
0003616350.tif 000007
【図７】
0003616350.tif 000008
【図８】
0003616350.tif 000009
【図９】
0003616350.tif 000010
【図１０】
0003616350.tif 000011
【図１１】
0003616350.tif 000012